(57)【要約】【課題】被収容物を収容した状態での見栄えが良好であるとともに陳列効率にも優れた包装用容器を実現する。【解決手段】包装用容器（１）は、容器本体（２）と蓋体（４）とを備える。容器本体（２）の本体フランジ部及び蓋体（４）の蓋体フランジ部が、斜め上方に向けて傾斜する傾斜延在部（３４，５４）をそれぞれ含む。第１の包装用容器（１Ａ）の傾斜延在部（３４，５４）における最高高さ部位（３４ｔ，５４ｔ）を第２の包装用容器（１Ｂ）の蓋体周壁部（４６）に対して当接させる際、第２の包装用容器（１Ｂ）の傾斜延在部（３４，５４）における最低高さ部位（３４ｂ，５４ｂ）が、傾斜延在部（３４，５４）の下方に位置するように配置される。【選択図】図１０
2020132241.tif 000002
【特許請求の範囲】
【請求項１】
容器本体と、前記容器本体に嵌合される透明な蓋体と、を備える包装用容器であって、
前記容器本体は、底面部と、前記底面部から上方に延びる本体周壁部と、前記本体周壁部から外側に延びる本体フランジ部と、を有し、
前記蓋体は、天面部と、前記天面部から下方に延びる蓋体周壁部と、前記蓋体周壁部から外側に延びて前記本体フランジ部に重ね合わされる蓋体フランジ部と、を有し、
前記本体フランジ部及び前記蓋体フランジ部が、前記容器本体が接地している状態で斜め上方に向けて傾斜する傾斜延在部をそれぞれ含み、
第１の包装用容器の前記傾斜延在部における最高高さ部位を第２の包装用容器の前記蓋体周壁部に対して水平方向に当接させる当接ライン陳列の際、前記第２の包装用容器の前記傾斜延在部における最低高さ部位が、前記第１の包装用容器の前記本体周壁部には当接することなく前記傾斜延在部の下方に位置するように配置される包装用容器。
【請求項２】
前記本体周壁部は、前記底面部から上方に延びる第一傾斜部と、前記第一傾斜部から連続して上方に延びる第二傾斜部と、を少なくとも有し、
前記当接ライン陳列の際、前記第２の包装用容器の前記傾斜延在部における前記最低高さ部位が、前記第１の包装用容器の前記第一傾斜部までは到達することなく前記第二傾斜部の下方に位置するように配置される請求項１に記載の包装用容器。
【発明の詳細な説明】
【技術分野】
【０００１】
本発明は、包装用容器に関する。
【背景技術】
【０００２】
例えばスーパーやコンビニエンスストア等の各種店舗において、包装用容器に収容された状態で弁当や惣菜等の食品が販売されている。包装用容器に収容されて販売される食品において、その彩りやボリューム感等の見栄えは、価格と共に、消費者の購買意欲に結び付き得る非常に重要な要素となっている。この点、中に収容された食品の視認性を良好なものとすることを意図した包装用容器が、例えば特開２００４−２４４１１６号公報（特許文献１）に開示されている。
【０００３】
この特許文献１の包装用容器は、蓋体２０が、フラットな上面２１と、この上面２１の１／４程度の幅に形成された傾斜面２２とを備えている。ラベルＬを貼付する傾斜面２２を上面２１の１／４程度の幅とすることで、購買者は、蓋体２０の大部分を占めてフラットな上面２１の中央から中の食品を視認しやすくなっている。
【０００４】
しかし、特許文献１の包装用容器は、全体が扁平な形状であり、縦横に並べて陳列する際に多くのスペースを必要とするという欠点があった。特に近年は、限りあるスペースにできるだけ多くの商品を陳列したいという要望が強いことも多く、そのような要望に応えられるものとはなっていなかった。
【先行技術文献】
【特許文献】
【０００５】
【特許文献１】特開２００４−２４４１１６号公報
【発明の概要】
【発明が解決しようとする課題】
【０００６】
被収容物を収容した状態での見栄えが良好であるとともに陳列効率にも優れた包装用容器の実現が望まれる。
【課題を解決するための手段】
【０００７】
本発明に係る包装用容器は、
容器本体と、前記容器本体に嵌合される透明な蓋体と、を備える包装用容器であって、
前記容器本体は、底面部と、前記底面部から上方に延びる本体周壁部と、前記本体周壁部から外側に延びる本体フランジ部と、を有し、
前記蓋体は、天面部と、前記天面部から下方に延びる蓋体周壁部と、前記蓋体周壁部から外側に延びて前記本体フランジ部に重ね合わされる蓋体フランジ部と、を有し、
前記本体フランジ部及び前記蓋体フランジ部が、前記容器本体が接地している状態で斜め上方に向けて傾斜する傾斜延在部をそれぞれ含み、
第１の包装用容器の前記傾斜延在部における最高高さ部位を第２の包装用容器の前記蓋体周壁部に対して水平方向に当接させる当接ライン陳列の際、前記第２の包装用容器の前記傾斜延在部における最低高さ部位が、前記第１の包装用容器の前記本体周壁部には当接することなく前記傾斜延在部の下方に位置するように配置される。
【０００８】
この構成によれば、容器本体の本体フランジ部が斜め上方に向けて傾斜する傾斜延在部を含むことで、当該傾斜延在部の最高高さ部位側に向かうに従い、本体周壁部の高さが高くなって収容能力を高く見せることができる。これにより、被収容物を収容した状態でのボリューム感を高めることができ、見栄えを向上させることができる。また、当接ライン陳列の際には、第１の包装用容器の最高高さ部位と第２の包装用容器の最低高さ部位とが上下に部分的に重なるように配置されるので、被収容物の視認性を確保しながら陳列効率を向上させることができる。
【０００９】
以下、本発明の好適な態様について説明する。但し、以下に記載する好適な態様例によって、本発明の範囲が限定される訳ではない。
【００１０】
一態様として、
前記蓋体周壁部は、前記底面部から上方に延びる第一傾斜部と、前記第一傾斜部から連続して上方に延びる第二傾斜部と、を少なくとも有し、
前記当接ライン陳列の際、前記第２の包装用容器の前記傾斜延在部における前記最低高さ部位が、前記第１の包装用容器の前記第一傾斜部までは到達することなく前記第二傾斜部の下方に位置するように配置されることが好ましい。
【００１１】
この構成によれば、当接ライン陳列の際、第２の包装用容器の最低高さ部位が、第１の包装用容器の最高高さ部位に加え第二傾斜部とも上下に部分的に重なるように配置されるので、陳列効率をさらに向上させることができる。
【００１２】
本発明のさらなる特徴と利点は、図面を参照して記述する以下の例示的かつ非限定的な実施形態の説明によってより明確になるであろう。
【図面の簡単な説明】
【００１３】
【図１】包装用容器の分解斜視図
【図２】容器本体の平面図
【図３】蓋体の平面図
【図４】包装用容器の分解側面図
【図５】包装用容器の分解正面図
【図６】図２におけるＶＩ−ＶＩ断面図
【図７】開蓋操作時の様子を示す正面図
【図８】開蓋操作時の様子を示す平面図
【図９】当接ライン陳列の様子を示す斜視図
【図１０】当接ライン陳列の様子を示す側面図
【発明を実施するための形態】
【００１４】
包装用容器の実施形態について、図面を参照して説明する。本実施形態では、弁当や惣菜等の食品を被収容物としてその内部に収容する包装用容器（食品包装用容器）１を例として説明する。
【００１５】
図１に示すように、包装用容器１は、容器本体２と、容器本体２に嵌合される透明な蓋体４とを備えている。包装用容器１は、シート成形によって形成されている。包装用容器１を構成する容器本体２及び蓋体４が、それぞれ、シート成形によって形成されている。容器本体２及び蓋体４は、例えば厚みが０．１ｍｍ〜３ｍｍ（好ましくは０．２ｍｍ〜１．５ｍｍ）の合成樹脂シートを熱成形（例えば真空成形、圧空成形、真空圧空成形、及び熱板成形等）して形成することができる。容器本体２と蓋体４とで、シート厚が異なっても良い。
【００１６】
容器本体２及び蓋体４を構成する合成樹脂シートとしては、例えばポリオレフィン系樹脂シート、ポリスチレン系樹脂シート、及びポリエステル系樹脂シート等の熱可塑性樹脂シートを用いることができる。これらは、発泡シートであっても良いし、非発泡シートであっても良い。また、積層シートを用いることもでき、積層シートとしては、例えば発泡シートにフィルムをラミネートしたフィルムラミネート発泡シート、共押出ラミネートシート、及び押出ラミネートシート等を用いることができる。
【００１７】
容器本体２は、例えば黒色や白色等の有色であっても良いし、無色透明であっても良い。本実施形態の蓋体４は、無色透明に形成されている。蓋体４を無色透明とすることで、被収容物たる食品を外から視認しやすくできる。なお、容器本体２及び蓋体４の少なくとも一方には、模様等のデザインが付されていても良い。
【００１８】
容器本体２は、食品を収容する深皿状の器である。図１，図２，図４〜図６に示すように、容器本体２は、底面部２１と、本体周壁部２６と、本体フランジ部３２とを備えている。底面部２１は、容器本体２の底部を形成している。図２に示すように、底面部２１は、平面視で台形状に形成されている。ここで、「台形状」とは、全体として見たときに台形と見做すことができる形状を意味する。全体として略台形であれば、例えば少なくとも１つの辺部が僅かに湾曲したり捩れたりしていても良いし、少なくとも１つの頂点が丸みを帯びていても良い。本実施形態の底面部２１は、等脚台形状に形成されている。
【００１９】
底面部２１には、平面視台形状の台形状隆起部２２が形成されている。台形状隆起部２２は、底面部２１の中央部に形成されている。台形状隆起部２２の上面は、平坦面に形成されている。本実施形態の台形状隆起部２２は、平面視で等脚台形状に形成されており、下底対応部位２２Ｌと、上底対応部位２２Ｕと、一対の脚対応部位２２Ｓとを有する。下底対応部位２２Ｌと上底対応部位２２Ｕとが互いに平行に配置され、一対の脚対応部位２２Ｓが、下底対応部位２２Ｌと上底対応部位２２Ｕとをそれぞれの端部で接続するように配置されている。下底対応部位２２Ｌは、上底対応部位２２Ｕよりも長い。
【００２０】
台形状隆起部２２の周囲には、平面視台形状の台形状溝部２３が形成されている。台形状溝部２３は、４つの頂点に対応する領域が若干外向きに膨らむ、四隅膨出台形状に形成されている。また、図６に示すように、容器本体２の外面（裏面）側には、当該容器本体２を接地させるための接地部２４が設けられている。本実施形態のように、容器本体２が合成樹脂シートの熱成形によって形成される場合には、接地部２４と台形状溝部２３とは表裏一体の関係であり、接地部２４は、台形状溝部２３の形状に応じた四隅膨出台形状に形成されている。本実施形態では、接地部２４は、等脚台形状に形成されている。なお、「接地」とは、作業台や陳列台Ｔ（図９を参照）等の上に載置することを意味する。
【００２１】
本体周壁部２６は、底面部２１の周縁から上方に延びている。本体周壁部２６は、上方に向かうに従って外側に向かって広がるように拡開している。本体周壁部２６は、底面部２１から上方に延びる第一傾斜部２６Ａと、第一傾斜部２６Ａから連続して上方に延びる第二傾斜部２６Ｂとを有する。第二傾斜部２６Ｂは、底面部２１に対する傾斜角度が第一傾斜部２６Ａに比べて緩くなっている。また、第一傾斜部２６Ａは、平坦面に形成された平坦面部２６ｆと、平坦面部２６ｆの両端部から連続する曲面に形成されて当該平坦面部２６ｆと共に底面部２１を取り囲む曲面部２６ｃとを含む。図２に示すように、平坦面部２６ｆは、台形状隆起部２２の下底対応部位２２Ｌに対応する位置に設けられている。曲面部２６ｃは、台形状隆起部２２の上底対応部位２２Ｕ及び一対の脚対応部位２２Ｓに対応する位置に設けられている。
【００２２】
本体周壁部２６の第一傾斜部２６Ａには、容器本体２の中心側に向けて窪む凹状部２７が形成されている。凹状部２７は、複数箇所に形成されている。本実施形態では、３つの凹状部２７が、曲面部２６ｃに形成されて、台形状隆起部２２の上底対応部位２２Ｕ及び一対の脚対応部位２２Ｓに対応する位置に設けられている。このような凹状部２７を設けることで、手指を凹状部２７に引っ掛けて、容器本体２を把持しやすくなっている。
【００２３】
凹状部２７には、水平リブ２８が形成されている。複数の凹状部２７のそれぞれに、複数条の水平リブ２８が形成されている。これらの水平リブ２８は、水平面に対して平行に延びるように形成されている。また、水平リブ２８は、台形状隆起部２２の上底対応部位２２Ｕ及び一対の脚対応部位２２Ｓに沿って延びるように形成されている。このような水平リブ２８を設けることで、凹状部２７の強度を高めることができるとともに、凹状部２７に手指を引っ掛ける際の滑り止めを図ることができる。
【００２４】
図２に示すように、本体周壁部２６の第二傾斜部２６Ｂは、複数の三角形状面部２９を含んでいる。互いに隣り合う２つの三角形状面部２９どうしの間の共通の辺部（共通辺部２９Ｃ）は、本体周壁部２６を斜めに横断して延びている。このため、この共通辺部２９Ｃにより、外力に対してより大きな抵抗力を付与することができ、容器本体２の強度を向上させることができる。また、共通辺部２９Ｃが本体周壁部２６を斜めに横断して延びることで、当該共通辺部２９Ｃ自体が視認されやすくなるとともにその両側の三角形状面部２９でそれぞれ反射する光が適度に分散されて、見栄えが良くなる。よって、容器本体２のデザイン性を向上させることができる。
【００２５】
また、一部の三角形状面部２９には、傾斜リブ３０が形成されている。傾斜リブ３０は、水平面に対して傾斜して延びるように形成されている。本実施形態では、複数の三角形状面部２９が互いに周方向に隣り合うように順次配置されているとともに、１つおきの三角形状面部２９に傾斜リブ３０が形成されている。すなわち、傾斜リブ３０が形成された三角形状面部２９と、傾斜リブ３０が形成されていない三角形状面部２９とが、周方向に交互に配置されている。傾斜リブ３０が形成された三角形状面部２９では、当該三角形状面部２９の略全域に亘るように、複数の傾斜リブ３０が互いに平行に並ぶ状態で分散して設けられている。
【００２６】
このような傾斜リブ３０を設けることで、共通辺部２９Ｃとそれに交差する複数の傾斜リブ３０とが協調して、外力に対してさらに大きな抵抗力を付与することができ、容器本体２の強度をさらに向上させることができる。また、傾斜リブ３０が略全域に亘って形成された複数の三角形状面部２９の頂点がいずれも周方向の同じ方向（図２の例では時計回り方向）を向くことで、本体周壁部２６の全体でまるで旋回するかのような動的な美感を創出することができる。よって、容器本体２のデザイン性を向上させることができる。
【００２７】
本体フランジ部３２は、本体周壁部２６の上端部から外側に延びている。図２，図４，図５に示すように、本体フランジ部３２は、直線に沿って延びる直線状延在部３３と、円弧に沿って延びる円弧状延在部３４とを有する。直線状延在部３３は、底面部２１が接地している状態で水平面に沿って延びるように配置される。本実施形態では、直線状延在部３３を「水平延在部」と称することもできる。円弧状延在部３４は、容器本体２（底面部２１）が接地している状態で斜め上方に向けて傾斜するように配置される。また、円弧状延在部３４は、直線状延在部３３の両端部から上方に向けて円弧状に延びるように形成されている。本実施形態では、円弧状延在部３４が容器本体２の「傾斜延在部」に相当する。本体フランジ部３２の外縁には、垂下部３７が設けられている。
【００２８】
なお、このような構成では、本体周壁部２６の高さは、直線状延在部３３側（傾斜した円弧状延在部３４の麓部３４ｂ側）において最も低く、円弧状延在部３４の頂部３４ｔ側に向かうに従って次第に高くなっている（図４を参照）。従って、容器本体２の内部に形成される収容部Ａの収容能力は、直線状延在部３３側（円弧状延在部３４の麓部３４ｂ側）に比べて、円弧状延在部３４の頂部３４ｔ側で大きくなっている。
【００２９】
なお、頂部３４ｔは、底面部２１が接地している状態で、円弧状延在部３４の中で最も高い位置を占める部分であり、麓部３４ｂは、円弧状延在部３４の中で最も低い位置を占める部分である。また、底面部２１が接地している状態での高さとは、作業台や陳列台Ｔ（図９を参照）等、容器本体２が載置された表面からの高さである。陳列台Ｔ等の表面が傾斜していれば、当該傾斜する表面に直交する方向での高さを意味する。本実施形態では、円弧状延在部３４の頂部３４ｔが容器本体２の「最高高さ部位」に相当し、麓部３４ｂが容器本体２の「最低高さ部位」に相当する。
【００３０】
本実施形態において、底面部２１に形成された台形状隆起部２２は、本体フランジ部３２（直線状延在部３３及び円弧状延在部３４）との関係で、以下の態様で配置されている。図２に示すように、台形状隆起部２２は、その下底対応部位２２Ｌが直線状延在部３３に沿うように（直線状延在部３３に平行に）配置されている。また、台形状隆起部２２は、その上底対応部位２２Ｕが円弧状延在部３４の頂部３４ｔ側に位置するように配置されている。すなわち、台形状隆起部２２は、本体周壁部２６の高さが相対的に低い直線状延在部３３側に下底対応部位２２Ｌが位置し、かつ、本体周壁部２６の高さが相対的に高い円弧状延在部３４の頂部３４ｔ側に上底対応部位２２Ｕが位置するように配置されている。
【００３１】
こうすることで、錯視効果により、収容部Ａにおける円弧状延在部３４の頂部３４ｔ側の収容能力をより高く見せることができる。台形状隆起部２２の上底対応部位２２Ｕを円弧状延在部３４の頂部３４ｔ側に配置することによって奥行き感を創出するとともに、その奥行き感によって奥側の本体周壁部２６をより高く錯覚させて、収容部Ａにおける奥側の収容能力をより高く見せることができる。よって、容器本体２への被収容物の収容時（例えば食品の盛付時）に、ボリューム感を高めることができ、見栄えを向上させることができる。
【００３２】
しかも、強度アップや滑り止めのために凹状部２７に設けられた水平リブ２８が、台形状隆起部２２の上底対応部位２２Ｕ及び一対の脚対応部位２２Ｓに沿って延びるように形成されている。このため、水平リブ２８により、台形状隆起部２２の存在感を増大させることができる。よって、収容部Ａにおける奥側の収容能力をより一層高く見せることができ、ボリューム感を高めて見栄えを向上させることができる。
【００３３】
水平面に対する円弧状延在部３４の傾斜角度θ（図６を参照）は、特に限定されないが、例えば７°以上１４°以下であることが好ましい。傾斜角度θが７°未満であると、手前側と奥側とで本体周壁部２６の高さにあまり差異が生じず、収容部Ａにおける奥側の収容能力を十分には高めにくい。傾斜角度θが１４°を超えて大きくなると、本体周壁部２６における奥側が過度に急傾斜となり、被収容物の安定性が悪くなる可能性がある。水平面に対する円弧状延在部３４のより好ましい傾斜角度θは８°以上１１°以下であり、さらに好ましくは９°である。
【００３４】
図１に示すように、蓋体４は、容器本体２に対してその上部開口を覆うように嵌合される。図１，図３〜図５に示すように、蓋体４は、天面部４１と、蓋体周壁部４６と、蓋体フランジ部５２とを備えている。天面部４１は、蓋体４の天井部を形成している。天面部４１は、平面視で半月盆状（円の一部を直線的に切り欠いた形状）に形成されている。
【００３５】
蓋体周壁部４６は、天面部４１の周縁から下方に延びている。蓋体周壁部４６は、下方に向かうに従って外側に向かって広がるように傾斜状に形成されている。蓋体周壁部４６は、矩形状平坦面部４７と、複数の三角形状面部４８とを有する。矩形状平坦面部４７は、半月盆状の天面部４１の直線部分に対応する位置に形成されている。この矩形状平坦面部４７には、商品名や価格、原材料等を表示したラベル６１が貼付される（図１を参照）。ラベル６１は、矩形状平坦面部４７に直接貼付されても良いし、包装用容器１の全体をラップで包んだ状態で、矩形状平坦面部４７を土台としてラップを介して貼付されても良い。矩形状平坦面部４７は、蓋体４の全体に対して１／５〜１／３（図示の例では１／４程度）の範囲の幅を有するように形成されている。
【００３６】
三角形状面部４８は、半月盆状の天面部４１の円弧部分に対応する位置に形成されている。互いに隣り合う２つの三角形状面部４８どうしの間には、蓋体周壁部４６を斜めに横断して延びる段部４８Ｓが形成されている。このため、この段部４８Ｓにより、外力に対してより大きな抵抗力を付与することができ、蓋体４の強度を向上させることができる。また、複数の三角形状面部４８の頂点がいずれも周方向の同じ方向（図３の例では反時計回り方向）を向くことで、蓋体周壁部４６の全体でまるで旋回するかのような動的な美感を創出することができる。よって、蓋体４のデザイン性を向上させることができる。
【００３７】
蓋体周壁部４６の下端部には、多数の蓋体４を重ねる際に互いに密着してしまうのを回避するための凸部４９（ブロッキング防止用凸部）が、複数箇所に分散して形成されている。
【００３８】
蓋体フランジ部５２は、蓋体周壁部４６の下端部から外側に延びている。蓋体フランジ部５２は、容器本体２の本体フランジ部３２に重ね合わされる。蓋体フランジ部５２は、容器本体２の本体フランジ部３２に対応する形状に形成されており、直線状延在部５３と、円弧状延在部５４とを有する。直線状延在部５３は、矩形状平坦面部４７に対応する位置に形成されている。直線状延在部５３は、容器本体２と蓋体４とが嵌合して底面部２１が接地している状態で水平面に沿って延びるように配置される。円弧状延在部５４は、複数の三角形状面部４８に対応する位置に形成されている。円弧状延在部５４は、容器本体２と蓋体４とが嵌合して底面部２１が接地している状態で斜め上方に向けて傾斜するように配置される。また、円弧状延在部５４は、直線状延在部５３の両端部から上方に向けて延びるように形成されている。本実施形態では、円弧状延在部５４が蓋体４の「傾斜延在部」に相当する。
【００３９】
なお、このような構成では、蓋体周壁部４６の高さは、直線状延在部５３側（傾斜した円弧状延在部５４の麓部５４ｂ側）において最も高く、円弧状延在部５４の頂部５４ｔ側に向かうに従って次第に低くなっている（図４を参照）。なお、頂部５４ｔは、底面部２１が接地している状態で、円弧状延在部５４の中で最も高い位置を占める部分であり、麓部５４ｂは、円弧状延在部５４の中で最も低い位置を占める部分である。本実施形態では、円弧状延在部５４の頂部５４ｔが蓋体４の「最高高さ部位」に相当し、麓部５４ｂが蓋体４の「最低高さ部位」に相当する。
【００４０】
蓋体フランジ部５２の外縁には、垂下部５７が設けられている。垂下部５７は、全周に亘って連続的に設けられている。この垂下部５７の上下長さは、容器本体２の垂下部３７の上下長さよりも長い。そして、垂下部５７の下部領域には、内方に突出する係合突条５８が、周方向に沿って形成されている。本実施形態では、複数の係合突条５８が、周方向に分散して設けられている。係合突条５８は、容器本体２に蓋体４が取り付けられた状態で、容器本体２の垂下部３７の下端縁に下方から係合する。すなわち、本実施形態の包装用容器１は、外嵌合タイプの包装用容器として構成されている。
【００４１】
本実施形態において、蓋体４には、開蓋時に摘み操作するための摘み片は特に設けられていない。このため、そのような摘み片が運搬中や陳列中に他物に引っかかる心配がほとんどなく、不用意に開蓋するおそれが少ない。また、包装用容器１の全体をラップで包む場合に、ラップにかかる張力負荷を軽減することができ、ラップを破れにくくすることができる。
【００４２】
本実施形態の包装用容器１を開蓋するには、まず、容器本体２及び蓋体４をそれぞれ片手ずつで把持した状態で、両者を相対回転させる。すると、図７に示すように、容器本体２の本体フランジ部３２における直線状延在部３３と円弧状延在部３４との間の一方の角部３５に、蓋体４の蓋体フランジ部５２における直線状延在部５３が乗り上がる形となって、容器本体２と蓋体４との全周に亘る嵌合が一部解除される。但し、この時点では、本体フランジ部３２及び蓋体フランジ部５２の広い範囲で垂下部３７の下端縁に係合突条５８が係合して、未だ、容器本体２と蓋体４とが部分的に嵌合したままである。
【００４３】
この状態で、図８に示すように、蓋体４の蓋体フランジ部５２における直線状延在部５３と円弧状延在部５４との間の一方の角部５５が、平面視で、容器本体２の本体フランジ部３２における直線状延在部３３よりも外側に突出した位置に配置される。この外側に突出した状態の角部５５は、“摘み片”としての機能を発揮し得る。そして、突出した角部５５を摘んで持ち上げ操作することにより、相対回転操作によって容器本体２から外れ始めていた蓋体４を、容器本体２から完全に取り外すことができる。このように、蓋体４の蓋体フランジ部５２の角部５５を必要時に現出する摘み片として利用して、開蓋操作を容易に行うことができる。
【００４４】
或いは、容器本体２と蓋体４とをさらに相対回転させても良い。すると、蓋体４の蓋体フランジ部５２における角部５５までが容器本体２の本体フランジ部３２における直線状延在部３３に乗り上がる形となって、容器本体２から蓋体４が完全に外れる。このように、容器本体２と蓋体４とを所定角度を超えて相対回転させるだけで、開蓋操作を容易に行うことができる。蓋体４の蓋体フランジ部５２の角部５５を摘み操作するか、容器本体２と蓋体４とを相対回転操作し続けるかは、当該操作を行う者が、自身にとってやりやすい方を選択すれば良い。
【００４５】
蓋体４の蓋体周壁部４６に形成された三角形状面部４８は、頂点がいずれも周方向の同じ方向を向いて、まるで旋回するかのような動的な美感を創出している。そして、そのような旋回感は、開蓋操作を行うための蓋体４に対する回転操作を示唆するものとなっている。開蓋操作を行う者は、複数の三角形状面部４８によって創出される旋回感に従い、その旋回方向に沿って蓋体４を回転させることで、上述したように、開蓋操作を容易に行うことができる。
【００４６】
本実施形態の包装用容器１は、図９及び図１０に示すように、複数の包装用容器１を水平方向に沿って前後に並べる陳列方法（以下、「ライン陳列」と言う。）を適用するのに適している。以下の説明では、互いに隣り合う一対の包装用容器１の一方を「第１の包装用容器１Ａ」と称し、他方を「第２の包装用容器１Ｂ」と称して、これらを区別するものとする。さらに本実施形態では、ライン陳列の中でも特に、第１の包装用容器１Ａの蓋体４の円弧状延在部５４における頂部５４ｔを、第２の包装用容器１Ｂの蓋体周壁部４６（具体的には、矩形状平坦面部４７）に対して水平方向に当接させる陳列方法（以下、「当接ライン陳列」と言う；図１０を参照）を適用するのに適している。
【００４７】
図１０に示すように、当接ライン陳列の際には、第２の包装用容器１Ｂの蓋体４の円弧状延在部５４における麓部５４ｂ及び直線状延在部５３は、第１の包装用容器１Ａの本体周壁部２６には当接しない。言い換えれば、第２の包装用容器１Ｂの円弧状延在部５４の麓部５４ｂ及び直線状延在部５３は、第１の包装用容器１Ａの本体周壁部２６に対して、水平方向の隙間（水平隙間ｇ１）を隔てて配置される。また、第２の包装用容器１Ｂの円弧状延在部５４の麓部５４ｂ及び直線状延在部５３は、第１の包装用容器１Ａの円弧状延在部３４，５４の下方に位置するように配置される。その際、第２の包装用容器１Ｂの円弧状延在部５４の麓部５４ｂ及び直線状延在部５３は、第１の包装用容器１Ａの円弧状延在部３４，５４に対して、上下方向の隙間（上下隙間ｇ２）を隔てて配置される。
【００４８】
このようにして、第１の包装用容器１Ａの円弧状延在部３４，５４の頂部３４ｔ，５４ｔと、第２の包装用容器１Ｂの円弧状延在部３４，５４の麓部３４ｂ，５４ｂとが、前後方向において重複する重複領域Ｌを有するように配置される。これにより、２つの包装用容器１Ａ，１Ｂが上下に部分的に重なる分だけ、それらの陳列時の設置スペースを小さく抑えることができる。よって、被収容物の視認性を確保しながら陳列効率を向上させることができる。
【００４９】
さらに本実施形態では、当接ライン陳列の際、第２の包装用容器１Ｂの円弧状延在部５４における麓部５４ｂ及び直線状延在部５３は、第１の包装用容器１Ａの本体周壁部２６の第二傾斜部２６Ｂの下方に位置するように配置される。その際、第２の包装用容器１Ｂの円弧状延在部５４の麓部５４ｂ及び直線状延在部５３は、第１の包装用容器１Ａの第一傾斜部２６Ａまでは到達しない。すなわち、第２の包装用容器１Ｂの円弧状延在部５４の麓部５４ｂ及び直線状延在部５３は、第１の包装用容器１Ａの円弧状延在部３４，５４の下方に入り込み、かつ、第二傾斜部２６Ｂの下方まで入り込むように配置される。このようにすることで、陳列効率をさらに向上させることができる。
【００５０】
さらに、前後に隣接する２つの包装用容器１が重複領域Ｌを有するように配置されることにより、作業者に対して整列された陳列を意識させることができ、その結果、整列された陳列を促すことができる。なお、「整列された陳列」とは、図９に示すように、個々の包装用容器１が少なくとも前後に（好ましくは前後左右に）整列されて陳列されることを意味する。言い換えれば、いずれかの包装用容器１が他の包装用容器１に対して斜めにズレるなどして全体として整列されていない状態（不整列の陳列状態）ではないことを意味する。
【００５１】
さらに、第１の包装用容器１Ａの蓋体４の円弧状延在部５４における頂部５４ｔを、第２の包装用容器１Ｂの矩形状平坦面部４７に対して当接させることで、矩形状平坦面部４７に貼付されたラベル６１が見にくくなる。これにより、消費者に対して店頭で、商品名や価格等よりも包装用容器１に収容された内容物へと、より強く意識を向かわせることができる。
【００５２】
〔その他の実施形態〕
（１）上記の実施形態では、当接ライン陳列の際、第２の包装用容器１Ｂの円弧状延在部５４の麓部５４ｂ及び直線状延在部５３が第１の包装用容器１Ａの第二傾斜部２６Ｂの下方まで入り込む構成を例として説明した。しかし、そのような構成に限定されることなく、例えば第２の包装用容器１Ｂの円弧状延在部５４の麓部５４ｂ及び直線状延在部５３が、第１の包装用容器１Ａの第一傾斜部２６Ａの下方まで入り込むように配置されても良い。或いは、第２の包装用容器１Ｂの円弧状延在部５４の麓部５４ｂ及び直線状延在部５３が、第１の包装用容器１Ａの本体周壁部２６の下方までは入り込まずに円弧状延在部３４，５４の下方だけに入り込むように配置されても良い。
【００５３】
（２）上記の実施形態では、第１の包装用容器１Ａの蓋体４の円弧状延在部５４における頂部５４ｔを、第２の包装用容器１Ｂの矩形状平坦面部４７に対して水平方向に当接させる構成を例として説明した。しかし、そのような構成に限定されることなく、第１の包装用容器１Ａの蓋体４の円弧状延在部５４における頂部５４ｔを、矩形状平坦面部４７には当接させずに蓋体周壁部４６の他の部位のみに当接させても良い。また、第１の包装用容器１Ａの蓋体４の円弧状延在部５４における頂部５４ｔを、矩形状平坦面部４７と蓋体周壁部４６の他の部位との両方に当接させても良い。
【００５４】
（３）上記の実施形態では、容器本体２の本体フランジ部３２が、直線状延在部３３と円弧状延在部３４とを組み合わせた平面視半月盆状に形成されている構成を例として説明した。しかし、そのような構成に限定されることなく、本体フランジ部３２の平面視形状はその他の形状に形成されて良い。例えば本体フランジ部３２は、複数の直線状延在部を含む形状（例えばレーストラック状や八角形状）に形成されても良い。或いは、本体フランジ部３２は、円弧状延在部だけを含む平面視円形状等に形成されても良い。蓋体４の蓋体フランジ部５２は、容器本体２の本体フランジ部３２に重なるように、当該本体フランジ部３２の形状に応じて形成される。
【００５５】
（４）上記の実施形態では、被収容物として食品を収容する包装用容器１（食品包装用容器）を例として説明した。しかし、そのような構成に限定されることなく、食品以外の他の物品を収容するのに、上述した包装用容器１を用いても良い。
【００５６】
（５）上述した各実施形態（上記の実施形態及びその他の実施形態を含む；以下同様）で開示される構成は、矛盾が生じない限り、他の実施形態で開示される構成と組み合わせて適用することも可能である。その他の構成に関しても、本明細書において開示された実施形態は全ての点で例示であって、本開示の趣旨を逸脱しない範囲内で適宜改変することが可能である。
【符号の説明】
【００５７】
１        包装用容器
１Ａ      第１の包装用容器
１Ｂ      第２の包装用容器
２        容器本体
４        蓋体
２１      底面部
２６      本体周壁部
２６Ａ    第一傾斜部
２６Ｂ    第二傾斜部
３２      本体フランジ部
３４      円弧状延在部（傾斜延在部）
３４ｂ    麓部（最低高さ部位）
３４ｔ    頂部（最高高さ部位）
４１      天面部
４６      蓋体周壁部
５２      蓋体フランジ部
５４      円弧状延在部（傾斜延在部）
５４ｂ    麓部（最低高さ部位）
５４ｔ    頂部（最高高さ部位）
Ｌ        重複領域
ｇ１      水平隙間
ｇ２      上下隙間
【図１】
2020132241.tif 000003
【図２】
2020132241.tif 000004
【図３】
2020132241.tif 000005
【図４】
2020132241.tif 000006
【図５】
2020132241.tif 000007
【図６】
2020132241.tif 000008
【図７】
2020132241.tif 000009
【図８】
2020132241.tif 000010
【図９】
2020132241.tif 000011
【図１０】
2020132241.tif 000012